(57)【要約】【課題】装置全体から延出する前にまずハウジングの外面に沿ってある周縁の近くまでに延伸している電動ファンの電源線の引張力に対する抵抗が従来より遥かに大であって引張られても容易に抜け落ちない冷却ファン装置及びそのハウジングを提供しようとする。【解決手段】内外両面を有するハウジング（１）と、該ハウジング（１）内に収納されている電動ファン（４）と、該電動ファン（４）に接続した後、該ハウジング（１）内からハウジング（１）外に出て、ハウジング（１）の外面に沿って延伸し、延伸しているうちに少なくとも一回内面に一時潜んだ後、再び外面に浮かび、最後に該外面から延出した電源線（４１）とからなることを特徴とする冷却ファン装置及びそのハウジング。【選択図】　　　図６
0003099404.tif 000002
【実用新案登録請求の範囲】
【請求項１】
内外両面を有するハウジングと、
該ハウジング内に収納されている電動ファンと、
該電動ファンに接続した後、該ハウジング内からハウジング外に出て、ハウジングの外面に沿って延伸し、延伸しているうちに少なくとも一回内面に一時潜んだ後、再び外面に浮かび、最後に該外面から延出した電源線とからなることを特徴とする冷却ファン装置。
【請求項２】
前記電源線が、前記ハウジング内からハウジング外に出た後、前記ハウジングの外面に形成された案内溝に辿り、辿っているうちに該案内溝経路の途中に形成されて一連になった少なくとも２つの通孔を順番に入ったり出たりしながら延伸し、最後に該案内溝から延出したことを特徴とする請求項１に記載の冷却ファン装置。
【請求項３】
前記ハウジングが、周枠と、該周枠の一端縁内のほぼ中央部に設けられて前記電動ファンの台座とされている基板と、該基板と該周枠の前記一端縁近くとの間に延在している複数のラチスバーとからなり、
前記基板に開口が開設してあって前記電源線がそれを経由して前記ハウジング内からハウジング外に出ており、
前記案内溝が、前記開口と連通している一端と、前記複数のラチスバーの一本に延伸してから角度を曲がって引き続いて前記周枠の一端縁から他端縁までに延伸した他端とを有するように構成されていることを特徴とする請求項２に記載の冷却ファン装置。
【請求項４】
前記通孔が２つだけあり、該２つの通孔が前記案内溝経路の途中の前後にそれぞれ開けられて前記案内溝内から当該一本のラチスバーの一端縁までに延伸したスリットであり、且つ、前記ハウジング外面の案内溝が前記途中で一時途絶えて、転じて当該ハウジング内面に形成されていることを特徴とする請求項３に記載の冷却ファン装置。
【請求項５】
前記案内溝の前記周枠の他端縁に溝内の電源線を止めるための止め片が設けてあることを特徴とする請求項４に記載の冷却ファン装置。
【請求項６】
周枠と、該周枠の一端縁内のほぼ中央部に設けられていて電動ファンの台座とされる基板と、該基板と該周枠の前記一端縁近くとの間に延在している複数のラチスバーとからなる冷却ファン装置用ハウジングにおいて、
前記基板に、前記電動ファンの電源線を前記ハウジング内からハウジング外に導出するための開口が開設されており、
また、一端が前記開口と連通しており、他端が前記複数のラチスバーの一本の外面に延伸してから角度を曲がって引き続いて前記周枠の外面に前記一端縁から他端縁までに延伸した案内溝が構成され、この案内溝経路の途中に一連になった少なくとも２つの通孔が形成されていることを特徴とする冷却ファン装置用ハウジング。
【請求項７】
前記通孔が２つだけあり、該２つの通孔が前記案内溝経路の途中の前後にそれぞれ開けられて前記案内溝内から当該一本のラチスバーの一端縁までに延伸したスリットであり、且つ、前記ラチスバー外面の案内溝が前記途中で一時途絶えて、転じて当該ラチスバーの内面に形成されていることを特徴とする請求項６に記載の冷却ファン装置用ハウジング。
【請求項８】
前記案内溝の前記周枠の他端縁に溝内の電源線を止めるための止め片が設けてあることを特徴とする請求項７に記載の冷却ファン装置用ハウジング。
【考案の詳細な説明】
【０００１】
【考案の属する技術分野】
本考案は冷却ファン装置とそのハウジングに関し、特に電動ファンを電源に繋ぐ電源線が装置全体から延出する前にまずハウジング面に沿って延伸している冷却ファン装置とそのハウジングに関する。
【０００２】
【従来の技術】
従来から、コンピュータに実装され、ファンにより、コンピュータにおける電子部品の発熱を外部へ導出して放散させ、コンピュータを冷却する冷却ファン装置がある。この種の冷却ファン装置は、通常、図１に示すように、内外両面を有するハウジング３と、該ハウジング３内に収納されている電動ファン２と、該電動ファン２に接続した後、該ハウジング内からハウジング外に出て、ハウジング３の外面に沿ってある周縁の近くまでに延伸してから延出した電源線２１とからなる。このような電源線２１の配線は、電源線２１が装置全体から延出する前にまずハウジング３の外面に沿ってある周縁の近くまでに延伸した。
【０００３】
図１をもっと詳しくみると、この従来の冷却ファン装置のハウジングは、周枠３３と、該周枠３３の一端縁（３３０）内のほぼ中央部に設けられていて電動ファン２の台座とされる基板３１と、該基板３１と該周枠３３の前記一端縁（３３０）近くとの間に延在している複数のラチスバー３２とからなった。前記電源線２１は前記基板３１と前記複数のラチスバー３２のその一本との接続部あたりからハウジング外に出てから当該ラチスバー３２の外面に形成された案内溝（３３１）内に辿って前記周枠３３の前記一端縁３３０までに延伸した後、始めて延出し、且つ、延出する直前に案内溝３３１の末端開口に形成してある止め片３３３に止められているため、電源線２１が案内溝３３１にしっかりと収納係止されている。即ち、この従来の冷却ファン装置における電源線の配線方式は、装置全体をコンパクト化させ、外観をすっきりさせる効果がある。しかしながら、この従来の冷却ファン装置における電源線２１は不意に引張られると、力が電源線を介し、直接に電源線と回路板との接続部にかかるので、この電源回路のもっとも脆い部分で裂けて抜き落とされる可能性が大である。
【０００４】
【考案が解決しようとする課題】
上記に鑑みて、本考案の目的は、装置全体から延出する前にまずハウジングの外面に沿ってある周縁の近くまでに延伸している電動ファンの電源線の引張力に対する抵抗が従来より遥かに大であって引張られても容易に抜き落とさない冷却ファン装置およびそのハウジングを提供しようとすることにある。
【０００５】
【課題を解決するための手段】
前記目的を達成するために、考案者は、内外両面を有するハウジングと、該ハウジング内に収納されている電動ファンと、該電動ファンに接続した後、該ハウジング内からハウジング外に出て、ハウジングの外面に沿って延伸し、延伸しているうちに少なくとも一回内面に一時潜んだ後、再び外面に浮かび、最後に該外面から延出した電源線とからなることを特徴とする冷却ファン装置を提供する。この構造による冷却ファン装置は、ハウジング内からハウジング外に出た電源線がハウジングの外面に沿って延伸しているうちに少なくとも一回内面に一時潜んだ後、再び外面に浮かぶため、引張力に対する抵抗が非常に大きいので、引張られても容易に抜き落とさない利点がある。
【０００６】
そして、前記本考案の冷却ファン装置における電源線が、前記ハウジング内からハウジング外に出た後、前記ハウジングの外面に形成された案内溝に辿り、辿っているうちに該案内溝経路の途中に形成されて一連になった少なくとも２つの通孔を順番に入ったり出たりしながら延伸し、最後に該案内溝から延出することが好ましい。それにより、前記引張力に対する抵抗は電源線の前記一連になった少なくとも２つの通孔を順番に入ったり出たりしながら延伸しているうちに生じることができる。また、前記電源線が案内溝内に辿っているので、案内溝内にすっきり収納係止されることができる。
【０００７】
本考案は、また、他の観点から、周枠と、該周枠の一端縁内のほぼ中央部に設けられていて電動ファンの台座とされる基板と、該基板と該周枠の前記一端縁近くとの間に延在している複数のラチスバーとからなった冷却ファン装置用ハウジングにおいて、前記基板に、前記電動ファンの電源線を前記ハウジング内からハウジング外に導出するための開口が開設されており、また、一端が前記開口と連通しており、他端が前記複数のラチスバーの一本の外面に延伸してから角度を曲がって引き続いて前記周枠の外面に前記一端縁から他端縁までに延伸した案内溝が構成され、この案内溝経路の途中に一連になった少なくとも２つの通孔が形成されていることを特徴とする冷却ファン装置用ハウジングを提供する。それにより、電源線が前記開口を経由して前記ハウジング内からハウジング外に出て前記案内溝を辿り、前記開口と連通している一端から、前記ラチスバーの外面（案内溝内）に延伸してから角度を曲がって引き続いて前記周枠の一端縁から他端縁まで延伸した後、始めて延出するように配線されることができる。なお、前記のように、電源線が前記ラチスバーの外面にある案内溝内に辿ってから角度を曲がって引き続いて延伸するので、引張られても引張力を分散し、前記ラチスバーの外面にある案内溝内に辿っている部分の電源線にかかる力を小さ目にさせることができる。
【０００８】
【考案の実施の形態】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
まず、図２に示すのは本考案にかかるハウジング１の実施形態の上面図である。このハウジング１は、図６及び図７をも合わせてみると、電動ファン４を収納し、該電動ファン４に電源線４１の一端を接続した後、該電源線４１を該ハウジング（１）内からハウジング（１）外に出し、そしてハウジング１の外面に沿って延伸させ、且つ、延伸しているうちに少なくとも一回内面に一時潜ませた後、再び外面に浮かばせ、最後に該外面から延出させて電源に繋ぐためのものである。
【０００９】
次に、図４，５，６及び７をも参照しながら本実施形態をもっと詳しく説明すると、このハウジング１は、周枠１４と、該周枠１４の一端縁（１４０）内のほぼ中央部に設けられていて電動ファン４の台座とされる基板１１と、該基板１１の周縁と該周枠１４の前記一端縁１４０近くとの間に延在している複数のラチスバー１２とからなる。また、前記基板１１に、前記電動ファン４の電源線４１を前記ハウジング（１）内からハウジング（１）外に導出するための開口１１２が開設されている。そして、このハウジング１は、内外２面を有し、外面には、一端が前記開口１１２と連通しており、他端が前記複数のラチスバー１２の一本の外面に延伸してから角度を曲がって引き続いて前記周枠１４の前記一端縁１４０から他端縁１４１までに延伸した案内溝１３が構成されている。この案内溝（１３）経路の当該一本のラチスバー１２の外面にある部分の途中に一連になった２つの通孔１３２，１３３が形成されている。前記通孔１３２，１３３は、前記案内溝（１３）経路の前記途中の前後にそれぞれ開けられて前記案内溝（１３）内から当該一本のラチスバー１２の一端縁までに延伸したスリットであり、且つ、前記ラチスバー（１２）外面の案内溝１３が前記途中で一時途絶えて、転じて当該ラチスバーの内面に形成されている（図４における１３１参照）。なお、前記案内溝１３の前記周枠１４の他端縁に溝内の電源線４１を止めるための止め片１４３が設けてある。なお、図２に示すように、前記ラチスバー１２は６本あり、いずれのラチスバー１２にも、その内外両面を連結している２側面の一つ１２０が傾斜面になっている。それにより、ラチスバー１２が強化されてハウジング（１）全体の構造を丈夫にさせることができる。
【００１０】
前記実施形態のハウジング１を利用して電動ファンと合わせて本考案の冷却ファン装置の実施形態を組み立ててなることができる。図６及び図７に示すように、この冷却ファン装置の実施形態は、前記ハウジング１と前記電動ファン４とからなっており、前記電源線４１が、前記ハウジング内からハウジング外に出た後、前記ハウジング（ラチスバー）の外面に形成された案内溝（１３）内に辿り、辿っているうちに該案内溝経路の途中に形成されて一連になった２つの通孔（スリット）１３２，１３３の一つ（１３２）に入ってから、ラチスバーの内面に形成された案内溝１３１を通過して再び他の通孔（１３３）を出て引き続いて元の案内溝（１３）内に辿って延伸し、そして案内溝（１３）内に辿りながら前記周枠１４の前記一端縁１４０に角度を曲がって、該一端縁１４０から他端縁１４１までに延伸し、最後に止め片１４３によって止められながら該案内溝１３から延出している。
【００１１】
【考案の効果】
前記実施形態から分かるように、本考案は、ハウジング内からハウジング外に出た電源線がハウジングの外面に沿って延伸している内に少なくとも一回内面に一時潜んだ後、再び外面に浮かぶため、引張力に対する抵抗が非常に大きいので、引張られても容易に抜け落ちない冷却ファン装置及びそのハウジングを提供することができる。また、本考案は、電源線が前記ラチスバーの外面にある案内溝内に辿ってから角度を曲がって引き続いて延伸するので、引張られても引張力を分散し、前記ラチスバーの外面にある案内溝内に辿っている部分の電源線にかかる力を小さ目にさせることができる冷却ファン装置及びそのハウジングを提供することができる。
【００１２】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【図１】従来の冷却ファン装置の分解斜視図である。
【図２】本考案の冷却ファン装置用ハウジングの好ましい実施形態の組立後の上面図である。
【図３】前記実施形態におけるラチスバーを示す一部拡大斜視図である。
【図４】図３の下方から見る斜視図である。
【図５】前記実施形態の周枠外面における案内溝と止め片の構造を示す斜視説明図である。
【図６】本考案の冷却ファン装置の分解斜視図である。
【図７】図６の下方から見る分解斜視図である。
【符号の説明】
１…ハウジング
２…電動ファン
２１…電源線
３…ハウジング
３１…基板
３２…ラチスバー
３３…周枠
３３０…一端縁
３３１…案内溝
３３３…止め片
１１…基板
１２…ラチスバー
１３…案内溝
１４…周枠
１１２…開口
１２０…傾斜面
１３１…案内溝
１３２、１３３…通孔（スリット）
１４０…一端縁
１４１…他端縁
１４３…止め片
４…電動ファン
４１…電源線
【図１】
0003099404.tif 000003
【図２】
0003099404.tif 000004
【図３】
0003099404.tif 000005
【図４】
0003099404.tif 000006
【図５】
0003099404.tif 000007
【図６】
0003099404.tif 000008
【図７】
0003099404.tif 000009